(57)【特許請求の範囲】
【請求項１】
リールのハブに記録テープを巻き付けるための記録テープ貼付方法であって、
前記ハブを、保持部材に吸着保持された前記記録テープに接触させて回転させ、それによって発生した静電気で前記記録テープを前記ハブに吸着させて貼り付けることを特徴とする記録テープ貼付方法。
【請求項２】
前記保持部材から前記ハブへ前記記録テープを受け渡すときに、前記保持部材による吸着が解除されるとともに、該保持部材から前記ハブ側へエアーが噴出されることを特徴とする請求項１に記載の記録テープ貼付方法。
【請求項３】
リールのハブを回転させる回転機構と、
記録テープを吸着可能に構成されるとともに、移動可能に構成された保持部材と、
前記保持部材に形成され、該保持部材に吸着保持された前記記録テープを前記ハブに接触させるとともに該ハブの回転によって静電気を発生させるための接触帯電部と、
を有することを特徴とする記録テープ貼付装置。
【請求項４】
前記接触帯電部は、凹状に形成されていることを特徴とする請求項３に記載の記録テープ貼付装置。
【請求項５】
前記接触帯電部は、前記ハブの曲率以下の曲率とされた曲面形状に形成されていることを特徴とする請求項４に記載の記録テープ貼付装置。
【請求項６】
前記保持部材は、エアーを吸引することにより前記記録テープを吸着し、エアーを噴出することにより前記記録テープを放出する構成とされていることを特徴とする請求項３〜請求項５の何れか１項に記載の記録テープ貼付装置。
【発明の詳細な説明】
【技術分野】
【０００１】
本発明は、磁気テープ等の記録テープをリールのハブに貼り付ける方法と装置に関する。
【背景技術】
【０００２】
従来から、磁気テープ等の記録テープが巻装され、ケース内に収容されてなるリールは知られている。このようなリールにおいて、そのハブの外周面には、記録テープが、その自由端部を貼り付けてから巻回される。すなわち、ハブの外周面にアルコール等の記録テープ貼付用液体を塗布し、その液体の表面張力によって、記録テープの自由端部をハブの外周面に貼り付けてから、その記録テープがハブに巻回されるようになっている（例えば、特許文献１参照）。
【特許文献１】特開２００５−２５９２７３号公報
【発明の開示】
【発明が解決しようとする課題】
【０００３】
しかしながら、このような記録テープ貼付方法であると、記録テープ貼付用液体（アルコール等）のハブの高さ方向（軸方向）における乾燥速度は均一になり難いため、記録テープの自由端部をハブの外周面に貼り付け、所定の張力を加えながら記録テープを巻回し始めたときに、その記録テープの自由端部がハブの高さ方向（軸方向）へ傾き易く、場合によっては斜めに貼り付いてしまうことがあった。この状態で記録テープが順次ハブに巻回されて行くと、記録テープのエッジ（幅方向端部）がフランジに当たってしまい、それによってエッジが折れ曲がるおそれがある。
【０００４】
そこで、本発明は、上記事情に鑑み、記録テープをリールのハブに正確に貼り付けることができる記録テープ貼付方法と記録テープ貼付装置を得ることを目的とする。
【課題を解決するための手段】
【０００５】
上記の目的を達成するために、本発明に係る請求項１に記載の記録テープ貼付方法は、リールのハブに記録テープを巻き付けるための記録テープ貼付方法であって、前記ハブを、保持部材に吸着保持された前記記録テープに接触させて回転させ、それによって発生した静電気で前記記録テープを前記ハブに吸着させて貼り付けることを特徴としている。
【０００６】
請求項１に記載の発明によれば、記録テープをハブに静電気によって貼り付けるため、ハブの軸方向における力の分布が均一となり、所定の張力を加えながら記録テープを巻回し始めても、記録テープがハブの軸方向へ傾くことがない。つまり、本発明によれば、記録テープをハブに正確に貼り付けることができる。
【００１１】
また、請求項２に記載の記録テープ貼付方法は、請求項１に記載の記録テープ貼付方法において、前記保持部材から前記ハブへ前記記録テープを受け渡すときに、前記保持部材による吸着が解除されるとともに、該保持部材から前記ハブ側へエアーが噴出されることを特徴としている。
【００１２】
請求項２に記載の発明によれば、保持部材からハブへスムーズに記録テープを受け渡すことができるとともに、受け渡し不良が発生しないようにできる。
【００１３】
また、本発明に係る請求項３に記載の記録テープ貼付装置は、リールのハブを回転させる回転機構と、記録テープを吸着可能に構成されるとともに、移動可能に構成された保持部材と、前記保持部材に形成され、該保持部材に吸着保持された前記記録テープを前記ハブに接触させるとともに該ハブの回転によって静電気を発生させるための接触帯電部と、を有することを特徴としている。
【００１４】
請求項３に記載の発明によれば、記録テープをハブに接触させ、そのハブを回転させることにより（摩擦により）静電気を発生させ、その静電気によって記録テープをハブに貼り付ける。そのため、ハブの軸方向における力の分布が均一となり、所定の張力を加えながら記録テープをハブに巻回し始めても、記録テープがハブの軸方向へ傾くことがない。つまり、本発明によれば、記録テープをハブに正確に貼り付けることができる。
【００１５】
また、請求項４に記載の記録テープ貼付装置は、請求項３に記載の記録テープ貼付装置において、前記接触帯電部が、凹状に形成されていることを特徴としている。
【００１６】
請求項４に記載の発明によれば、ハブに対する記録テープの接触面積を確保することができる。
【００１７】
また、請求項５に記載の記録テープ貼付装置は、請求項４に記載の記録テープ貼付装置において、前記接触帯電部が、前記ハブの曲率以下の曲率とされた曲面形状に形成されていることを特徴としている。
【００１８】
請求項５に記載の発明によれば、ハブに対する記録テープの接触面積を確保することが良好にできる。
【００１９】
また、請求項６に記載の記録テープ貼付装置は、請求項３〜請求項５の何れか１項に記載の記録テープ貼付装置において、前記保持部材が、エアーを吸引することにより前記記録テープを吸着し、エアーを噴出することにより前記記録テープを放出する構成とされていることを特徴としている。
【００２０】
請求項６に記載の発明によれば、保持部材からハブへスムーズに記録テープを受け渡すことができるとともに、受け渡し不良が発生しないようにできる。
【発明の効果】
【００２１】
以上のように、本発明によれば、記録テープをリールのハブに正確に貼り付けることができる記録テープ貼付方法と記録テープ貼付装置を提供することができる。
【発明を実施するための最良の形態】
【００２２】
以下、本発明の最良な実施の形態を図面に示す実施例に基づいて詳細に説明する。なお、本実施形態に係る記録テープ貼付方法及び記録テープ貼付装置は、記録テープカートリッジ１０に収容されるリール３０に好適に用いることができるため、その記録テープカートリッジ１０を例に採って説明するが、本実施形態に係る記録テープ貼付方法及び記録テープ貼付装置は、記録テープＴが、その一方の自由端部Ｔｆをリールハブ３２の外周面３２Ａに貼り付けてから巻回される構成のリール３０全般に対して適用が可能である。
【００２３】
図１は記録テープカートリッジ１０の概略斜視図であり、図２はリール３０の概略斜視図である。まず最初に、記録テープカートリッジ１０について簡単に説明するが、その説明の便宜上、矢印ＦＲを前方向、矢印ＵＰを上方向、矢印ＲＩを右方向とする。つまり、各図において、矢印ＦＲ、矢印ＵＰ、矢印ＲＩが示されている場合は、その矢印で示す方向に基づいて前後・上下・左右の表現をする。
【００２４】
図１で示すように、この記録テープカートリッジ１０は、略矩形箱状のケース１２を有している。このケース１２は、樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、ビス止め等によって接合されて構成されている。
【００２５】
ケース１２の内部には、樹脂製のリール３０が１つだけ回転可能に収容される。図２（Ａ）で示すように、このリール３０は、軸心部を構成する有底円筒状のリールハブ３２と、その下端部に設けられる下フランジ３６と、その上端部に設けられる上フランジ３４とで構成されており、リールハブ３２の外周面３２Ａに、情報記録再生媒体としての磁気テープ等の記録テープＴが巻回され、上フランジ３４及び下フランジ３６によって、その巻回された記録テープＴの幅方向の端部が保持されるようになっている。
【００２６】
また、リールハブ３２の底壁の下面には、リールギア（図示省略）が環状に形成されており、そのリールギアの径方向内側には、磁性材からなる環状のリールプレート（図示省略）がインサート成形等により一体に固着されている。そして、そのリールプレートの径方向内側には、後述するブレーキ部材操作用の貫通孔３９（図４〜図９参照）が穿設されている。
【００２７】
また、下ケース１６の略中央部には、そのリールギア及びリールプレートを外部に露出するためのギア開口（図示省略）が穿設されており、このギア開口から露出されるリールギアが、ドライブ装置の回転シャフト（図示省略）に形成された駆動ギア（図示省略）に噛合されて回転駆動されることにより、ケース１２内において、リール３０がケース１２に対して相対回転可能とされる。
【００２８】
また、リールハブ３２の底壁の上面には、係合ギア３８（図４〜図９参照）が環状に形成されており、この係合ギア３８は、不使用時（ドライブ装置に装填されないとき）において、ケース１２（上ケース１４）に対して回転不能とされたブレーキ部材（図示省略）の制動ギアと噛合するようになっている。すなわち、不使用時に、ブレーキ部材の制動ギアが係合ギア３８に噛合することにより、リール３０がケース１２内において不用意に回転しないようになっている。
【００２９】
また、ケース１２の右壁１２Ａには、リール３０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン２０が固着されている。
【００３０】
リーダーピン２０の軸方向両端部には、厚板状の大フランジ部２４が一体に設けられており、この大フランジ部２４の軸方向内側には、薄板状の小フランジ部２２が所定間隔を隔てて一体に設けられている。この小フランジ部２２間に記録テープＴの自由端部が固着されており、小フランジ部２２と大フランジ部２４との間が、ドライブ装置の引出部材のフック等が係止される環状溝２３とされている。
【００３１】
また、ケース１２の開口１８の内側、即ち上ケース１４の天板１４Ａ内面及び下ケース１６の底板１６Ａ内面には、ケース１２内においてリーダーピン２０を位置決めして保持する上下一対のピン保持部２６が設けられている。このピン保持部２６は、記録テープＴの引き出し側が開放された略半円形状をしており、直立状態のリーダーピン２０の大フランジ部２４は、その開放側からピン保持部２６内に出入可能とされている。
【００３２】
また、ピン保持部２６の近傍には、板バネ（図示省略）が固定配置されるようになっており、この板バネの二股状の先端部がリーダーピン２０の大フランジ部２４にそれぞれ係合してリーダーピン２０をピン保持部２６に保持するようになっている。そして、リーダーピン２０がピン保持部２６に出入する際には、板バネの先端部が適宜弾性変形してリーダーピン２０の移動を許容するようになっている。
【００３３】
また、その開口１８は、ドア２８によって開閉される。このドア２８は、開口１８を閉塞可能な大きさの略矩形板状に形成され、その開口１８を閉塞する方向へ図示しない付勢部材により付勢されている。そして、ドア２８の前端部には、開閉操作用の凸部２８Ａが外方に向かって突設されている。この凸部２８Ａが、記録テープカートリッジ１０のドライブ装置への装填に伴い、そのドライブ装置の開閉部材（図示省略）と係合するようになっており、これによって、ドア２８が付勢部材の付勢力に抗して開放されるようになっている。
【００３４】
以上のような構成の記録テープカートリッジ１０のリール３０には、図２（Ｂ）で示すように、記録テープＴが巻装される。すなわち、図２（Ａ）で示すように、リールハブ３２の外周面３２Ａに、記録テープＴの（リーダーピン２０が取り付けられる自由端部とは反対側の）自由端部Ｔｆが貼り付けられ、その後、リール３０を回転させることにより、記録テープＴが順次リールハブ３２に巻回されるようになっている。そこで次に、そのリールハブ３２に記録テープＴを巻回する巻付装置４０について説明する。
【００３５】
図３は巻付装置４０に備えられている保持部材５０の概略斜視図であり、図４〜図８は巻付装置４０において、記録テープＴをリールハブ３２の外周面３２Ａに貼り付ける各工程を示す説明図である。そして、図９は保持部材５０からリールハブ３２へ記録テープＴを受け渡す工程を拡大して示す説明図である。
【００３６】
図４〜図８で示すように、この巻付装置４０には、記録テープＴの繰出機構４２と、記録テープＴの自由端部Ｔｆを一時的に吸着保持する吸着台４４と、リール３０を保持して回転させる回転機構４６と、記録テープＴの自由端部Ｔｆを吸着保持して移動する保持部材５０と、が備えられている。なお、図４〜図９では説明（図面）を簡略化するために、リール３０のリールハブ３２のみを断面視で示している。
【００３７】
繰出機構４２には、記録テープＴをガイドするガイドローラー４８が複数設けられている。そして、吸着台４４の下面には、多数の貫通孔（図示省略）が穿設され、各貫通孔にはチューブ（図示省略）を介してエアー吸引装置（図示省略）が連通接続されている。したがって、エアー吸引装置により各貫通孔からエアーが吸引されることで、吸着台４４の下面に記録テープＴが吸着保持される。
【００３８】
また、回転機構４６には、回転駆動ギア（図示省略）が環状に設けられており、その回転駆動ギアの径方向内側には、その回転駆動ギアと共に回転するマグネット（図示省略）が設けられている。したがって、リールハブ３２の底壁の下面に形成されたリールギアが回転駆動ギアに噛合し、リールプレートがマグネットに吸着されることで、リールハブ３２が回転機構４６に保持されつつ回転可能となる。
【００３９】
吸着台４４の下方には、記録テープＴを吸着保持可能に構成されるとともに、移動可能に構成された保持部材５０が設けられている。この保持部材５０は、図３で示すように、細長い略矩形箱状に形成され、その内部は空洞とされている。そして、この保持部材５０の前端近傍（長手方向中央よりも前端側）の上面５０Ａには、記録テープＴをリールハブ３２に接触（圧接）させるための接触帯電部としての凹部５２が形成されている。
【００４０】
この凹部５２は、側面視略円弧状となる曲面状に形成されており、その曲率はリールハブ３２の曲率以下とされている。すなわち、この凹部５２の曲率半径Ｒ２は、例えばリールハブ３２の曲率半径Ｒ１が、Ｒ１＝２２．０ｍｍの場合、それよりも０．１ｍｍだけ大きい、Ｒ２＝２２．１ｍｍとされている。また、この凹部５２の幅（周方向の長さ）Ｄは、例えばＤ＝３２ｍｍとされている。
【００４１】
この凹部５２の幅Ｄが大きければ大きいほど、リールハブ３２の外周面３２Ａと記録テープＴとの接触面積が大きくなるため、好ましいが、その分、保持部材５０の高さが必要となる。したがって、記録テープカートリッジ１０のケース１２内にリール３０を組み込んでから記録テープＴをリールハブ３２に巻回して行く巻付装置の場合には、保持部材５０を開口１８から挿入させる必要性があることから、保持部材５０の高さに制約ができる。
【００４２】
つまり、この場合には、凹部５２の幅Ｄは、例えば上記の約半分程度の大きさ（Ｄ＝１６ｍｍ）とされるが、リールハブ３２の外周面３２Ａと記録テープＴの自由端部Ｔｆとを摺接させる（擦り合わせる）時間や、保持部材５０をリールハブ３２の外周面３２Ａに押し当てる圧力等を適宜変更することにより、充分に対応可能となっている。また、その凹部５２の両側（前端側と後端側）における上面５０Ａの所定位置には、多数の貫通孔５４が形成されている。
【００４３】
凹部５２よりも前端側及び後端側の各貫通孔５４は、図４〜図８で示すように、それぞれ前端側用チューブ５６及び後端側用チューブ５８の一端部に設けられた多数の接続部５６Ａ、５８Ａと連通接続されており、前端側用チューブ５６及び後端側用チューブ５８の他端部は、図３で示すように、保持部材５０の後端側壁面５０Ｂに形成された貫通孔５５からそれぞれ引き出されて、エアー吸引・供給装置（図示省略）に連通接続されている。
【００４４】
したがって、エアー吸引・供給装置によりエアーが吸引されると、各貫通孔５４からエアーが吸引され、記録テープＴが、保持部材５０の上面５０Ａに吸着保持される構成である。そして、エアー吸引・供給装置からエアーが供給されると、各貫通孔５４からエアーが噴出されて、後述するように記録テープＴが保持部材５０の上面５０Ａから放出される構成である。
【００４５】
更に、この保持部材５０は、図示しないリニアガイド等の移動機構により、前進移動（矢印ＦＲ方向への移動）、後進移動（矢印ＦＲ方向とは逆方向への移動）、上昇移動（矢印ＵＰ方向への移動）、下降移動（矢印ＵＰ方向とは逆方向への移動）ができるように構成されている。つまり、この保持部材５０は、記録テープＴを吸着保持した状態で、リールハブ３２に対して接近・離隔移動が可能となっており、その凹部５２をリールハブ３２に対して接触（圧接）・離脱させることが可能になっている。
【００４６】
以上のような構成とされた巻付装置４０及び保持部材５０において、次にその作用について主に図４〜図９を基に説明する。図４で示すように、繰出機構４２により各ガイドローラー４８を経て繰り出された記録テープＴの自由端部Ｔｆは、吸着台４４に吸着保持される。すなわち、エアー吸引装置により各貫通孔からエアーが吸引されることで、記録テープＴの自由端部Ｔｆが吸着台４４の下面に一時的に吸着保持されている。
【００４７】
一方、回転機構４６にはリール３０がセットされている。つまり、リールハブ３２の底壁の下面に形成されたリールギアが回転駆動ギアに噛合され、リールプレートがマグネットに吸着されている。また、保持部材５０は、吸着台４４の下方位置に前進移動して来て待機している。
【００４８】
さて、この状態で、記録テープＴの巻き付け工程を開始すると、まず図４で示すように、保持部材５０が上昇移動する。そして、図５で示すように、吸着台４４に吸着保持されている記録テープＴの自由端部Ｔｆを、その下面側から吸着保持する。すなわち、エアー吸引・供給装置により各貫通孔５４からエアーを吸引することにより、記録テープＴの自由端部Ｔｆを保持部材５０の上面５０Ａに吸着保持する。
【００４９】
そして、保持部材５０が記録テープＴの自由端部Ｔｆを吸着すると、吸着台４４に連通接続されているエアー吸引装置は停止し、記録テープＴに対する吸着は解除される。なお、吸着台４４に別のエアー吸引・供給装置を連通接続し、保持部材５０へ記録テープＴの自由端部Ｔｆを受け渡すときに、吸着台４４の各貫通孔からエアーを噴出させて、その受け渡し動作が速やかに行われるようにしてもよい。
【００５０】
こうして、記録テープＴの自由端部Ｔｆを上面５０Ａに吸着保持した保持部材５０は、図５で示すように、吸着台４４から離隔するように少し下降移動し、次いで図６で示すように、リールハブ３２の直下の所定位置まで前進移動する。そして、リールハブ３２の直下に配置された保持部材５０は、図７で示すように、上昇移動して、その凹部５２をリールハブ３２の外周面３２Ａに所定の圧力（例えば０．４ＭＰａ）で接触させる。
【００５１】
つまり、凹部５２上に存在する記録テープＴの自由端部Ｔｆが、リールハブ３２の外周面３２Ａに所定の圧力（例えば０．４ＭＰａ）で押し当てられる（圧接される）。なお、このとき、凹部５２は、リールハブ３２の曲率以下の曲率とされた側面視略円弧状に形成されているので、リールハブ３２の外周面３２Ａに対する記録テープＴの接触面積を良好に確保することができる。
【００５２】
そして、その後、図７、図９（Ａ）で示すように、リールハブ３２が図示において反時計回り方向（図示の矢印Ａ方向）に所定の速度（約１回転／ｓｅｃ）で回転する。すなわち、回転駆動ギアが所定の速度（約１回転／ｓｅｃ）で矢印Ａ方向に回転することにより、リールハブ３２が所定の速度（約１回転／ｓｅｃ）で矢印Ａ方向に約２秒間回転する。
【００５３】
すると、そのリールハブ３２の外周面３２Ａと記録テープＴとの摩擦（摺接）により静電気が発生し、リールハブ３２の外周面３２Ａがプラス（例えば約＋１ｋＶ：図１２で示すβ領域参照）に帯電し、記録テープＴがマイナス（例えば約−１ｋＶ：図１２示すγ領域参照）に帯電する。なお、この帯電量は、図１１で示すように、リールハブ３２の外周面３２Ａからその径方向に、例えばＨ＝２５ｍｍ離隔した位置に静電気センサー６０を配置して測定することにより得られる。
【００５４】
すなわち、図１１（Ａ）で示すように、リールハブ３２を回転させる前（記録テープＴを接触させる前）では、図１２のα領域で示すように、リールハブ３２の外周面３２Ａにおける帯電量は略±０ｋＶになっている。そして、図１１（Ｂ）で示すように、記録テープＴをリールハブ３２の外周面３２Ａに接触させた状態で、そのリールハブ３２を回転させたときには、図１２のβ領域で示すように、リールハブ３２の外周面３２Ａにおける帯電量は約＋１ｋＶとなっている。
【００５５】
また、図１１（Ｃ）で示すように、リールハブ３２の外周面３２Ａに記録テープＴを貼り付けて少なくとも１周巻き付けたときには、図１２のγ領域で示すように、その記録テープＴの帯電量は約−１ｋＶとなっている。このように、リールハブ３２（外周面３２Ａ）、記録テープＴは、それぞれ約＋１ｋＶ、約−１ｋＶに帯電させられるが、その帯電量は（リールハブ３２の外周面３２Ａに対する記録テープＴの接触面積にもよるが）、概ね１ｋＶ程度で充分である。
【００５６】
こうして、リールハブ３２の外周面３２Ａをプラス（約＋１ｋＶ）に帯電し、記録テープＴをマイナス（約−１ｋＶ）に帯電したら、エアー吸引・供給装置によりエアーを供給し、保持部材５０の各貫通孔５４からエアーを噴出させる。すると、図８で示すように、記録テープＴの自由端部Ｔｆは、リールハブ３２の外周面３２Ａに静電吸着される。この状態を図１０で示す。
【００５７】
このように、保持部材５０の各貫通孔５４からエアーを噴出させると、保持部材５０からリールハブ３２へスムーズに記録テープＴを受け渡すことができるため、受け渡し不良等が発生しないようにできる。また、このように、記録テープＴの自由端部Ｔｆをリールハブ３２の外周面３２Ａに静電吸着させると、その自由端部Ｔｆをリールハブ３２の外周面３２Ａに対して正確に（記録テープＴの長手方向がリールハブ３２の軸方向と直交する方向となるように）貼り付けることができる。
【００５８】
すなわち、例えば図１４で示す比較例のように、リールハブ３２の外周面３２Ａに、記録テープ貼付用液体としてのアルコールＬを所定幅Ｗ（図１４（Ａ）参照）で塗布して、記録テープＴの自由端部Ｔｆを貼り付ける方式では、アルコールＬのリールハブ３２の高さ方向（軸方向）における乾燥速度が均一でないため、正確に（記録テープＴの長手方向がリールハブ３２の軸方向と直交する方向となるように）貼り付けることが困難となる。
【００５９】
具体的に説明すると、図１４（Ｂ）、図１４（Ｃ）で示すように、記録テープＴの自由端部Ｔｆを、アルコールＬが塗布された部分に貼り付けるときに、例えば下フランジ３６側が略半分乾燥してしまって、上フランジ３４側の略半分にしかアルコールＬが残っていない場合、記録テープＴは、ある程度の張力が加えられた状態でリールハブ３２に巻回されるため、その貼り付いた部位で記録テープＴの自由端部Ｔｆが拘束されてしまい、その自由端部Ｔｆが上フランジ３４側（リールハブ３２の軸方向）に向かって傾いてしまうことがあった。
【００６０】
つまり、図１４（Ｄ）で示すように、記録テープＴの自由端部Ｔｆが、リールハブ３２の軸方向と直交する方向に対して斜めに貼り付いてしまい、この状態で記録テープＴがリールハブ３２に巻回されて行くと、記録テープＴのエッジ（幅方向端部）が上フランジ３４に当たって折れ曲がることがあった。特に、この現象は、上下フランジ３４、３６間の間隔が狭い（例えば１２．６７ｍｍ）場合や、記録容量を増加させるために記録テープＴの厚さが薄くなった（例えば６．６μｍ）場合に顕著に現れる。
【００６１】
このように、リールハブ３２の外周面３２ＡにアルコールＬ等の記録テープ貼付用液体を塗布して記録テープＴの自由端部Ｔｆを貼り付ける構成であると、特に厚さが従来よりも薄くなった記録テープＴの場合には、その自由端部Ｔｆをリールハブ３２の外周面３２Ａに正確に（記録テープＴの長手方向がリールハブ３２の軸方向と直交する方向となるように）貼り付けることが困難になっていた。
【００６２】
しかしながら、本実施形態では、記録テープ貼付用液体を使用せずに、静電気で記録テープＴの自由端部Ｔｆをリールハブ３２の外周面３２Ａに貼り付ける構成としたので、リールハブ３２の高さ方向（軸方向）における力の分布が均一となり、正確に（記録テープＴの長手方向がリールハブ３２の軸方向と直交する方向となるように）貼り付けることができる。つまり、図１０で示すように、記録テープＴのエッジと上下フランジ３４、３６との間に一定の間隙Ｓ１、Ｓ２がそれぞれ形成される状態で貼り付けることが可能となる。
【００６３】
なお、仮に記録テープＴがリールハブ３２の高さ方向（軸方向）に傾いた状態で静電吸着されても、記録テープＴは、ある程度の張力が加えられた状態で巻回されるため、その張力によって姿勢が矯正され、僅少にしか傾かないようにできる。よって、記録テープＴのエッジが上下フランジ３４、３６に当たることがないし、仮に当たったとしても折れ曲がることがない。
【００６４】
こうして、リールハブ３２の外周面３２Ａに記録テープＴの自由端部Ｔｆが正確に貼り付けられたら（静電吸着されたら）、図９（Ｂ）で示すように、保持部材５０が下降移動する。そして、繰出機構４２により、記録テープＴに所定の張力（例えば厚さが６．６μｍの記録テープＴの場合には約１ｇ〜８ｇ程度）を付与しつつ、回転機構４６の回転駆動ギアが回転することにより、記録テープＴが順次リールハブ３２の外周面３２Ａに巻回される。
【００６５】
ここで、その記録テープＴに加える張力はできるだけ小さくする必要がある。すなわち、例えば上記厚さとされた記録テープＴの自由端部Ｔｆをリールハブ３２の外周面３２Ａに静電吸着によって貼り付けて巻回して行く場合、その張力を８ｇよりも大きくすると、記録テープＴの自由端部Ｔｆがリールハブ３２の外周面３２Ａ上を大きくスリップして剥離してしまうおそれがある。
【００６６】
したがって、上記厚さとされた記録テープＴの自由端部Ｔｆをリールハブ３２の外周面３２Ａに静電吸着によって貼り付け、次いで、その記録テープＴをリールハブ３２に順次巻き付けて行く場合には、その記録テープＴの張力を８ｇ以下とすることが望ましい。そして、回転駆動ギアが更に回転し、リールハブ３２に記録テープＴが順次巻き付けられて行くと、リール３０は、最終的には図２（Ｂ）で示す状態となる。
【００６７】
以上、説明したように、リールハブ３２の外周面３２Ａと記録テープＴの自由端部Ｔｆとを摺接させ（擦らせ）、その摩擦により発生する静電気で、その自由端部Ｔｆをリールハブ３２の外周面３２Ａに貼り付ける構成であると、リールハブ３２の外周面３２ＡにアルコールＬ等の記録テープ貼付用液体を塗布して貼り付ける構成に比べて、その自由端部Ｔｆの貼付位置が拘束されないため、リールハブ３２の高さ方向（軸方向）における変動を抑制することができ、記録テープＴの自由端部Ｔｆの貼付位置を安定化することができる。
【００６８】
また、アルコールＬ等の記録テープ貼付用液体を塗布して記録テープＴの自由端部Ｔｆをリールハブ３２の外周面３２Ａに貼り付けていると、その記録テープＴの自由端部Ｔｆがリールハブ３２の外周面３２Ａに強固に貼り付いてしまうことがあり、その場合に、例えばドライブ装置が誤動作して、記録テープＴを最後まで巻き取ってしまうようにリール３０を回転させてしまったときには、記録テープＴがリールハブ３２の外周面３２Ａから剥離されないため、ドライブ装置に負荷が掛かり、ドライブ装置が故障してしまうおそれがある。
【００６９】
しかし、リールハブ３２の外周面３２Ａに静電気によって記録テープＴの自由端部Ｔｆを貼り付かせる構成であると、ドライブ装置が誤動作して、記録テープＴを最後まで巻き取ってしまうようにリール３０を回転させても、その記録テープＴの自由端部Ｔｆは、スムーズにリールハブ３２の外周面３２Ａから剥離されるため、ドライブ装置に負荷が掛かることがなく、ドライブ装置が故障するおそれがない。
【００７０】
また、リールハブ３２の外周面３２Ａに静電気によって記録テープＴの自由端部Ｔｆを貼り付かせる構成であると、リールハブ３２の外周面３２ＡにアルコールＬ等の記録テープ貼付用液体を塗布する動作が不要となるため、全体的に製造タクトを向上でき、かつ、そのアルコールＬ等の消耗品が不要となるため、製造コストを低減することができる。
【００７１】
また、リールハブ３２の外周面３２Ａと記録テープＴの自由端部Ｔｆとを摺接させて（擦らせて）帯電させる接触帯電方式のため、別途イオン風を当てたり、電圧を印加させたりする機構を不要にでき、設備構造を簡略化することができる。しかも、リールハブ３２の外周面３２Ａと記録テープＴとを摺接させる（擦らせる）だけでよいため、リールハブ３２の外周面３２Ａと保持部材５０の凹部５２との位置決め精度がそれ程要求されない利点もある。
【００７２】
なお、より少ない帯電量で記録テープＴの自由端部Ｔｆをリールハブ３２の外周面３２Ａに貼り付かせるためには、リールハブ３２の外周面３２Ａと記録テープＴとの接触面積を極力大きくすることが望ましい。したがって、凹部５２は、リールハブ３２の外周面３２Ａの曲率以下の曲率を有する曲面形状（側面視略円弧状）に形成することが望ましい。
【００７３】
ここで、上記のような接触帯電方式による静電吸着によって自由端部Ｔｆが貼り付けられた記録テープＴが巻回されてなるリール３０において、その記録テープＴのエッジ折れの発生確率を表１に示す。この表１で示すように、記録テープＴの自由端部Ｔｆをリールハブ３２の外周面３２Ａに静電気を利用して貼り付けた場合には、記録テープＴのエッジ折れは全く発生しなかった。したがって、本実施形態に係る貼付方法は極めて有効である。
【００７４】
【表１】
0004927031.tif 000002
【００７５】
また、保持部材５０の凹部５２の形状は、図１３で示す形状としてもよい。すなわち、図１３で示す保持部材５０の接触帯電部としての凹部５３は、側面視略等脚台形状に形成されており、上記凹部５２よりも前後方向に長く、かつ上下方向に深く（大きく）形成されている。
【００７６】
したがって、記録テープＴの自由端部Ｔｆを吸着保持した保持部材５０が上昇移動して、リールハブ３２の外周面３２Ａに接近したときには、凹部５３上に存在する記録テープＴの少なくとも一部（例えば傾斜面上の２箇所の接触面Ｐ）が、リールハブ３２の外周面３２Ａに、凹部５３によって支持された状態で（所定の圧力で）接触することになる。
【００７７】
このような構成の保持部材５０の場合には、リールハブ３２の曲率が変更された場合でも適用可能となる利点がある。つまり、リールハブ３２の直径が若干変更された場合でも、記録テープＴの自由端部Ｔｆをリールハブ３２の外周面３２Ａに圧接させられる（接触面積を確保できる）利点がある。
【００７８】
また、図示しないが、例えば保持部材５０の前方側先端部に、摩擦により静電気を発生可能な接触部材を設けて、その接触部材をリールハブ３２の外周面３２Ａに摺接させ（擦らせ）、それによって発生した静電気で、記録テープＴの自由端部Ｔｆをリールハブ３２の外周面３２Ａに貼り付ける構成にしてもよい。
【００７９】
何れにしても、本実施形態では、リールハブ３２の外周面３２Ａと記録テープＴの自由端部Ｔｆとを接触させて（圧接させて）リールハブ３２を回転させ、その両者の摩擦により発生する静電気で記録テープＴの自由端部Ｔｆをリールハブ３２の外周面３２Ａに貼り付ける構成が望ましく、本発明における接触部材及び第１接触部材が記録テープＴであり、第２接触部材がリールハブ３２であることが望ましい。
【００８０】
また、本実施形態に係る記録テープ貼付方法及び記録テープ貼付装置は、図示のものに限定されるものではなく、本発明の要旨を逸脱しない範囲内において、適宜設計変更可能なものである。例えば図示の記録テープカートリッジ１０では、ドア２８が右壁１２Ａに沿って直線状にスライドして開口１８を開閉する構成とされているが、ドア２８は、例えば平面視略円弧状に形成されて所定の円周上をスライドして開口１８を開閉する構成とされてもよい。
【図面の簡単な説明】
【００８１】
【図１】記録テープカートリッジの概略斜視図
【図２】（Ａ）リールに記録テープを巻回し始めるときの概略斜視図、（Ｂ）リールに記録テープを巻回し終えたときの概略斜視図
【図３】巻付装置に備えられている保持部材の概略斜視図
【図４】吸着台に保持されている記録テープを保持部材が保持する工程を示す説明図
【図５】吸着台に保持されていた記録テープを保持部材が保持した工程を示す説明図
【図６】記録テープを保持した保持部材がリールハブ側へ移動した工程を示す説明図
【図７】保持部材に保持された記録テープが押し付けられたリールハブが回転する工程を示す説明図
【図８】保持部材からエアーを噴出させて記録テープをリールハブに貼り付ける工程を示す説明図
【図９】（Ａ）保持部材に保持された記録テープが押し付けられたリールハブが回転する工程を拡大して示す説明図、（Ｂ）記録テープをリールハブに貼り付けた保持部材がリールハブから離脱する工程を拡大して示す説明図
【図１０】リールハブに静電気によって貼り付けられた記録テープを示す概略側面図
【図１１】リールハブの外周面における帯電量を計測する方法を示す説明図
【図１２】リールハブの外周面における帯電量の計測結果を表すグラフ
【図１３】別の保持部材に保持された記録テープが押し付けられたリールハブが回転する工程を示す説明図
【図１４】リールハブにアルコールによって貼り付けられた記録テープを示す比較例の概略側面図
【符号の説明】
【００８２】
１０  記録テープカートリッジ
１２  ケース
１４  上ケース
１６  下ケース
１８  開口
２０  リーダーピン
２６  ピン保持部
２８  ドア
３０  リール
３２  リールハブ（ハブ）
３４  上フランジ
３６  下フランジ
３８  係合ギア
４０  巻付装置
４２  繰出機構
４４  吸着台
４６  回転機構
４８  ガイドローラー
５０  保持部材
５２  凹部（接触帯電部）
５３  凹部（接触帯電部）
５４  貫通孔
Ｔ    記録テープ
Ｔｆ  自由端部
【図１】
0004927031.tif 000003
【図２】
0004927031.tif 000004
【図３】
0004927031.tif 000005
【図４】
0004927031.tif 000006
【図５】
0004927031.tif 000007
【図６】
0004927031.tif 000008
【図７】
0004927031.tif 000009
【図８】
0004927031.tif 000010
【図９】
0004927031.tif 000011
【図１０】
0004927031.tif 000012
【図１１】
0004927031.tif 000013
【図１２】
0004927031.tif 000014
【図１３】
0004927031.tif 000015
【図１４】
0004927031.tif 000016